(57)【要約】【課題】画像記録部とトレイとの間に設けられた搬送路でシート部材が詰まった場合でも、シート部材を容易に除去することが可能であり、且つ、上記搬送路を形成するガイド部材と協働して給送ローラに付着した汚れを容易に除去することが可能な手段を提供する。【解決手段】画像記録部２４と給紙トレイ７８との間に下側ガイド部材９０が設けられている。下側ガイド部材９０は、下面にクリーニングパッド７０が取り付けられた後方ガイド板９２を有する。後方ガイド板９２の前方端は基軸２８によって軸支されている。基軸２８に給紙アーム２６が軸支され、その先端に給紙ローラ２５が軸支され、この給紙ローラ２５は後方ガイド板９２の下側に配置されている。給紙トレイ７８の装着状態において後方ガイド板９２は給紙ローラ２５から離間し、給紙トレイ７８の脱抜状態において後方ガイド板９２が下降してクリーニングパッド７０が給紙ローラ２５に接触する。【選択図】図２
2011136830.tif 000002
【特許請求の範囲】
【請求項１】
装置本体の正面から該装置本体に対して挿抜可能に設けられ、画像が記録されるシート部材を保持するトレイと、
上記トレイの上側に設けられた画像記録部と、
上記装置本体の背面に開閉可能に設けられ、閉じられた状態で上記トレイから上記画像記録部に至る湾曲状の湾曲搬送路を形成し、開けられた状態で上記湾曲搬送路を開放する背面カバーと、
上記トレイと上記画像記録部との間に設けられ、上記画像記録部を通過したシート部材を上記湾曲搬送路へ案内する第１ガイド板を有するガイド部材と、
上記トレイと上記第１ガイド板との間に設けられ、上記トレイに保持されたシート部材を上記湾曲搬送路へ給送する給送ローラと、
上記第１ガイド板の背面側の端部を回動自由端として、上記第１ガイド板の下面が上記給送ローラから上方へ離間した第１位置と上記給送ローラに当接する第２位置との間で上記ガイド板を回動自在に支持する回動軸と、
上記トレイが上記装置本体に挿入されたときに上記第１ガイド板を上記第１位置まで持ち上げ、上記トレイが上記装置本体から脱抜されたときに上記第１ガイド板の上記第２位置への回動を許容する支持機構と、
上記第１ガイド板の下面における上記給送ローラとの当接部に設けられ、上記給送ローラと接触することにより上記給送ローラのローラ面の汚れを除去するクリーニング部材と、
を具備する画像記録装置。
【請求項２】
基端部が上記トレイの上側で回動自在に支持され、回動端に上記給送ローラが軸支され、基端部の回動中心から上記トレイの挿抜経路へ向けて上記装置本体の背面側へ斜め下方へ延出されたアーム部材と、
上記トレイの背面側の端部に立設され、上記トレイが上記装置本体に対して挿抜される過程で上記アーム部材に当接する当接部とを更に備える請求項１に記載の画像記録装置。
【請求項３】
上記給送ローラが上記装置本体の底面から離間した所定位置から上記アーム部材の下方への回動を規制する規制手段と、
上記給送ローラの回転を制御する制御部とを更に備え、
上記制御部は、上記給送ローラに対するクリーニング指示信号が入力されたことを条件に、上記給送ローラを所定の時間だけ回転させるものである請求項１又は２に記載の画像記録装置。
【請求項４】
上記支持機構は、
上記第１ガイド板の下面に設けられた第１係合部と、上記トレイが上記装置本体に装着されたときに上記第１係合部と係合して上記第１ガイド板を下側から持ち上げるように支持する第１支持部とにより構成されている請求項１から３のいずれかに記載の画像記録装置。
【発明の詳細な説明】
【技術分野】
【０００１】
本発明は、シート部材の両面に画像を記録する画像記録装置に関し、特に、画像記録部を通過したシート部材をスイッチバックさせて再び画像記録部へ戻す搬送路を有する画像記録装置に関する。
【背景技術】
【０００２】
従来より、記録用紙（シート部材）の両面に画像を記録可能な画像記録装置が知られている。特許文献１及び特許文献２には、装置のコンパクト化を実現するために、シートトレイの上側に画像記録部が設けられ、シートトレイと画像記録部とが湾曲状の搬送路で接続された画像記録装置が開示されている。この種の画像記録装置では、両面画像記録を行う場合に、画像記録部を通過した記録用紙をスイッチバックさせて再びシートトレイに搬送し、その記録用紙を給送ローラで再び画像記録部に搬送する機構が採用されている（特許文献１及び２参照）。これにより、シートトレイから給紙するときに通る搬送路をスイッチバック後に案内される搬送経路として兼用できるため、装置の薄型化が実現される。
【０００３】
また、オフィスなどに広く普及している大型で自立型の複写装置（コピー機）では、高さ寸法が制約されないため、給紙時に通る搬送路とは別に、画像記録部とシートトレイとの間にスイッチバック用の搬送路が設けられている。この複写装置では、画像記録部を通過した記録用紙は、スイッチバックされた後に上記スイッチバック用の搬送路を通って再び画像記録部へ搬送される。
【先行技術文献】
【特許文献】
【０００４】
【特許文献１】特開２００９−８３２３２号公報
【特許文献２】特開２００９−１４１２号公報
【発明の概要】
【発明が解決しようとする課題】
【０００５】
しかしながら、特許文献１及び２に記載の画像記録装置では、スイッチバック後の記録用紙が給送ローラによって搬送される際に、画像記録面に給送ローラが当接する。そのため、給紙ローラの接触によって画像記録面が汚れるおそれがある。また、画像記録面に付着した記録材（インクやトナー等）が給紙ローラに付着することもあり、この付着した記録材が給紙ローラによって給紙される次の記録用紙に移り、記録用紙を汚すおそれもある。一方、上述した大型の複写装置で採用されているように、給紙時の搬送路とは別の搬送路を設けると上記問題は解決できる。しかしながら、装置の薄型化という社会的要請に応えるために、画像記録部とシートトレイとの間に余分なスペースができないように設計し、装置の高さを限りなくコンパクトにした場合は、仮に上記別の搬送路で記録用紙が詰まると、詰まった記録用紙を除去する作業が極めて困難になる。
【０００６】
そこで、本発明は上記問題に鑑みてなされたものであり、画像記録部とトレイとの間に設けられた搬送路でシート部材が詰まった場合でも、シート部材を容易に除去することが可能であり、且つ、上記搬送路を形成するガイド部材と協働して給送ローラに付着した汚れを容易に除去することが可能な手段を提供することにある。
【課題を解決するための手段】
【０００７】
(1)  本発明は、トレイと、画像記録部と、背面カバーと、ガイド部材と、給送ローラと、回動軸と、支持機構と、クリーニング部材とを具備する画像記録装置として構成されている。トレイは、装置本体の正面から該装置本体に対して挿抜可能に設けられている。このトレイに、画像が記録されるシート部材が保持される。画像記録部は、上記トレイの上側に設けられている。背面カバーは、上記装置本体の背面に開閉可能に設けられている。この背面カバーは、装置本体の背面に対して閉じられた状態で上記トレイから上記画像記録部に至る湾曲状の湾曲搬送路を形成し、開けられた状態で上記湾曲搬送路を開放する。ガイド部材は、上記トレイと上記画像記録部との間に設けられている。このガイド部材は第１ガイド板を有している。第１ガイド板は、上記画像記録部を通過した後にガイド部材に搬送されたシート部材を上記湾曲搬送路へ案内する。給送ローラは、上記トレイと上記第１ガイド板との間に設けられている。この給送ローラは、上記トレイに保持されたシート部材を上記湾曲搬送路へ給送する。回動軸は、上記第１ガイド板の背面側の端部を回動自由端として、上記第１ガイド板の下面が上記給送ローラから上方へ離間した第１位置と上記給送ローラに当接する第２位置との間で上記ガイド板を回動自在に支持する。支持機構は、上記トレイが上記装置本体に挿入されたときに上記第１ガイド板を上記第１位置まで持ち上げ、上記トレイが上記装置本体から脱抜されたときに上記第１ガイド板の上記第２位置への回動を許容する。クリーニング部材は、上記第１ガイド板の下面における上記給送ローラとの当接部に設けられており、上記給送ローラと接触することにより上記給送ローラのローラ面の汚れを除去する。
【０００８】
このように構成されているため、画像記録部とトレイとの間に、上記ガイド部材によって搬送路（以下「反転搬送路」という。）が形成される。この反転搬送路は、画像記録部を通過したシート部材を湾曲搬送路へ案内するためのものである。トレイが装置本体に装着された状態では、ガイド部材は支持機構によって第１位置で支持されている。トレイが装置本体から抜き出されると、ガイド部材が支持機構によって支持されなくなる。このとき、回動軸を中心にして、第１ガイド板がその自重によって下方へ回動する。これにより、上記反転搬送路の背面側が高さ方向に拡げられる。このため、上記反転搬送路でシート部材が詰まった場合でも、背面カバーを開ければ、詰まったシート部材に容易にアクセスすることができるので、シート部材の除去作業が容易となる。また、第１ガイド板が支持機構によって支持されなくなると、第１ガイド板が上記第１位置から上記第２位置まで回動して、第１ガイド板の下面に設けられたクリーニング部材が給送ローラのローラ面に当接する。このため、シート部材の補給や詰まりを除去するためにトレイが装置本体から抜き出される度に、給送ローラのローラ面がクリーニングされる。なお、クリーニング効果を高めるために、バネなどの付勢部材によって上記第１ガイド板を下方へ付勢するようにしてもよい。
【０００９】
(2)  本発明の画像記録装置は、アーム部材と、上記トレイに設けれた当接部とを更に備えている。アーム部材は、基端部の回動中心から上記トレイの挿抜経路へ向けて上記装置本体の背面側へ斜め下方へ延出されている。このアーム部材は、その基端部が上記トレイの上側で回動自在に支持されており、その回動端に上記給送ローラが軸支されている。当接部は、上記トレイの背面側の端部に立設されており、上記トレイが上記装置本体に対して挿抜される過程で上記アーム部材に当接する。
【００１０】
このように構成されているため、上記トレイが上記装置本体に挿入される過程で上記トレイの当接部が上記アーム部材に当接し、アーム部材が下から持ち上げられる。このとき、アーム部材と共に給送ローラも持ち上げられて、給送ローラが上記クリーニング部材に当接する。当接部が給送ローラを通り過ぎて装置本体の背面側の奥部に到達すると、持ち上げられていた給送ローラは、クリーニング部材から離れて下降してトレイの上面に当接する。トレイが装置本体から脱抜される場合は、その過程で当接部によって再び給送ローラ及びアーム部材が持ち上げられて、給送ローラが上記クリーニング部材に当接する。そして、当接部がアーム部材を通り過ぎて更に正面側へ移動すると、持ち上げられていた給送ローラは、クリーニング部材から離れて下降する。このように給送ローラが動作するため、トレイが挿抜される過程においても、一時的に給送ローラのローラ面がクリーニング部材によってクリーニングされる。
【００１１】
(3)  本発明の画像記録装置は、上記給送ローラが上記装置本体の底面から離間した所定位置から上記アーム部材の下方への回動を規制する規制手段と、上記給送ローラの回転を制御する制御部とを更に備える。この構成において、上記制御部は、上記給送ローラに対するクリーニング指示信号が入力されたことを条件に、上記給送ローラを所定の時間だけ回転させる。
【００１２】
これにより、例えば、トレイが装置本体から抜き出されて給送ローラとクリーニング部材とが接触した状態にあるときに、クリーニング指示信号が入力されると、給送ローラがクリーニング部材に接触した状態で空回りする。このため、給送ローラのローラ面の全域がクリーニング部材によってクリーニングされる。
【００１３】
(4)  上記支持機構の具体的な構成としては、第１係合部と、第１支持部とにより構成された機構が考えられる。第１係合部は、上記第１ガイド板の下面に設けられている。第１支持部は、上記トレイが上記装置本体に装着されたときに上記第１係合部と係合して上記第１ガイド板を下側から持ち上げるように支持する。
【発明の効果】
【００１４】
本発明によれば、画像記録部とトレイとの間に設けられた搬送路でシート部材が詰まった場合でも、シート部材を容易に除去することが可能となる。また、上記搬送路を形成するガイド部材と協働して給送ローラに付着した汚れを容易に除去することが可能となる。
【図面の簡単な説明】
【００１５】
【図１】図１は、本発明の画像記録装置の一実施形態である複合機１０の外観斜視図である。
【図２】図２は、プリンタ部１１の内部構成を模式的に示す縦断面図である。
【図３】図３は、給紙トレイ７８の構成を模式的に示す平面図である。
【図４】図４は、下側ガイド部材９０の構成を示す模式図である。
【図５】図５は、後方ガイド板９２の動作を説明する模式断面図である。
【発明を実施するための形態】
【００１６】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００１７】
［複合機１０の概略構成］
図１は、本発明の画像記録装置の一実施形態である複合機１０の外観構成を示す模式斜視図である。なお、以下の説明においては、複合機１０が使用可能に設置された状態（図１に示される状態）を基準として上下方向７を定義し、開口１３が設けられている側を手前側（正面）として前後方向８を定義し、複合機１０を手前側（正面）から見て左右方向９を定義する。
【００１８】
図１に示されるように、複合機１０は、高さ（上下方向７の長さ）に対して横幅（左右方向９の長さ）及び奥行き（前後方向８の長さ）が大きい薄型の直方体形状に概ね形成されている。複合機１０は、主に、下部に設けられたインクジェット記録方式のプリンタ部１１と、上部に設けられたスキャナ部１２とを一体的に備えた多機能装置である。複合機１０は、ファクシミリ機能、プリント機能、スキャン機能、及び、コピー機能などの各種の機能を有している。プリント機能としては、記録用紙（本発明のシート部材の一例）の表面（第１面）及び裏面（第２面）の両面に画像を記録する両面画像記録機能を有している。なお、プリント機能以外の機能は任意であり、例えば、スキャン機能やコピー機能、ファクシミリ機能を有しないプリンタとして本発明の画像記録装置が実施されてもよい。
【００１９】
プリンタ部１１は、正面に開口１３が形成されたプリンタ筐体１４（本発明の装置本体の一例）を有する。プリンタ筐体１４の内部にプリンタ部１１の各構成要素が配置されている。開口１３からプリンタ筐体１４の内部側へ連続するように収容空間が区画されている。この収容空間に給紙トレイ７８（本発明のトレイの一例）が装着されている。給紙トレイ７８は、開口１３からプリンタ筐体１４の内部に対して、前後方向８（水平方向）に挿抜可能に構成されている。給紙トレイ７８は、Ａ４サイズの記録用紙（Ａ４用紙）やハガキはなどの各種の記録用紙を保持可能に構成されている。以下、プリンタ部１１の構成について詳細に説明する。なお、スキャナ部１２の構成についての説明は省略する。
【００２０】
［プリンタ部１１の構成］
以下、図２を参照しながら、プリンタ部１１の構成について詳細に説明する。図２は、プリンタ部１１の内部構成を模式的に示す縦断面図である。なお、図２では、前方部分の図示が省略されている。
【００２１】
プリンタ部１１は、主として、給紙トレイ７８と、給紙トレイ７８から記録用紙をピックアップして給紙（給送）する給送部１５と、給送部１５によって給紙された記録用紙にインク滴を吐出して記録用紙に画像を形成するインクジェット記録方式の画像記録部２４（本発明の画像記録部の一例）と、経路切換部４１と、外部に排出された記録済みの記録用紙を保持する排紙トレイ７９と、プリンタ部１１が備える搬送ローラの回転動作等を制御する制御部（本発明の制御部の一例）とを備えている。これらの各構成要素がプリンタ筐体１４内に設けられている。なお、画像記録部２４は、インクジェット方式に限られず、電子写真方式、或いは感熱記録方式など、種々の記録方式のものが適用可能である。また、排紙トレイ７９は、給紙トレイ７８と一体に構成されていてもよく、或いはプリンタ筐体１４のフレームなどに固定されたものであってもよい。また、上記制御部は、ＣＰＵなどの演算素子やＲＯＭ又はＲＡＭなどの記憶素子を有する周知の演算装置であるため、本明細書では詳細な説明を省略する。
【００２２】
［用紙搬送路６５］
プリンタ部１１の内部には、給紙トレイ７８の先端（後方側の端部）から上方手前側へ向かって延出され、画像記録部２４を経て排紙トレイ７９に至る用紙搬送路６５が形成されている。記録用紙が用紙搬送路６５を通ることにより、記録用紙が給紙トレイ７８から排紙トレイ７９まで案内される。用紙搬送路６５は、給紙トレイ７８の先端から画像記録部２４に至る間に形成された湾曲状の湾曲路６５Ａ（本発明の湾曲搬送路の一例）と、画像記録部２４から排紙トレイ７９に至る間に形成された排紙路６５Ｂとに区分される。
【００２３】
図２に示されるように、湾曲路６５Ａは、給紙トレイ７８に設けられた分離傾斜板２２（本発明の当接部の一例）の上端付近から画像記録部２４まで延設された湾曲状の通路である。この湾曲路６５Ａは、プリンタ筐体１４の背面側に設けられた背面カバー１８（本発明の背面カバーの一例）と、この背面カバー１８から前方側へ所定間隔を隔てて互いに対向するように配置された内側ガイド部材１９とによって区画されている。背面カバー１８及び内側ガイド部材１９は、プリンタ部１１の内部側を中心とする円弧形状に概ね形成されている。
【００２４】
背面カバー１８は、湾曲路６５Ａの外側ガイド面を形成するとともに、プリンタ筐体１４の背面を形成している。この背面カバー１８は、プリンタ筐体１４の背面に対して開閉可能に設けられている。詳細には、背面カバー１８は、プリンタ筐体１４の下部に設けられた支軸２０を中心にして、プリンタ筐体１４の背面を覆う閉姿勢（図２において実線で示された姿勢）と、プリンタ筐体１４から離れて湾曲路６５Ａを開放する開姿勢（図２において波線で示された姿勢）との間で開閉可能に支持されている。背面カバー１８が上記閉姿勢のときに、その内側面によって湾曲路６５Ａの外側ガイド面が形成される。このような背面カバー１８が設けられているため、湾曲路６５Ａで記録用紙が詰まった場合でも、背面カバー１８を開くことによって、詰まった用紙を容易に除去できる。
【００２５】
排紙路６５Ｂは、画像記録部２４よりも前方側に設けられた上側排紙ガイド８２と下側排紙ガイド８３とによって区画されている。
【００２６】
下側排紙ガイド８３の前方側に分岐口３６が形成されている。両面画像記録の際には、排紙路６５Ｂを搬送される記録用紙は、分岐口３６の下流側でスイッチバックされ、後述する反転搬送路６７へ向けて搬送される。
【００２７】
［画像記録部２４］
画像記録部２４は、給紙トレイ７８の上側に配置されている。画像記録部２４は、図２の紙面垂直方向（左右方向９）に延出されたガイドレール（不図示）に沿って往復動するように構成されている。画像記録部２４の下方にプラテン４２が設けられている。プラテン４２は、画像記録部２４によって画像記録が行われる際に、記録用紙を水平に支持するものである。画像記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００２８】
用紙搬送路６５には、記録用紙を挟持して搬送するための第１搬送ローラ６０及び第２搬送ローラ６２が設けられている。第１搬送ローラ６０と第２搬送ローラ６２の間に画像記録部２４が設けられている。第１搬送ローラ６０にピンチローラ６１が圧接されており、第２搬送ローラ６２に拍車６３が圧接されている。なお、第１搬送ローラ６０及び第２搬送ローラ６２は、搬送用モータ（不図示）から駆動伝達機構（不図示）を介して回転駆動力が伝達されて回転される。本実施形態では、後述する第３搬送ローラ４５を正回転方向又は逆回転方向へ回転させる回転駆動力も上記搬送用モータから供給される。そのため、第１搬送ローラ６０及び第２搬送ローラ６２への駆動伝達機構として、上記搬送用モータが正回転方向又は逆回転方向のいずれに回転されても、記録用紙を一方向（図２の右側）へ搬送させるべく、遊星ギヤなどによって第１搬送ローラ６０及び第２搬送ローラ６２を常に一回転方向へ回転させる機構が採用されている。なお、第１搬送ローラ６０及び第２搬送ローラ６２の駆動源と第３搬送ローラ４５の駆動源とが別々に設けられている場合は、上記駆動伝達機構は、上記遊星ギヤを含む構成に限られない。
【００２９】
［給送部１５］
給送部１５は、画像記録部２４と給紙トレイ７８との間、更に詳細には、後述する下側ガイド部材９０と給紙トレイ７８との間に設けられている。給送部１５は、給紙トレイ７８に収容された記録用紙を湾曲路６５Ａへ向けて搬送するためのものであり、給紙ローラ２５（本発明の給送ローラの一例）と、給紙アーム２６（本発明のアーム部材の一例）と、駆動伝達機構２７とを備えている。
【００３０】
給紙ローラ２５は、給紙トレイ７８に保持されて記録用紙を一枚ずつピックアップして湾曲路６５Ａへ給紙するものである。給紙ローラ２５は、記録用紙との接触摩擦を高めるために、シリコンやＮＢＲなどの弾性部材で構成されている。もちろん、樹脂製の給紙ローラ２５のローラ面に弾性部材がコーティングされていてもよい。この給紙ローラ２５は、給紙アーム２６の回動端（先端）に回転自在に軸支されている。給紙ローラ２５は、駆動源である給紙用モータ（不図示）の回転力が駆動伝達機構２７を介して伝達されることにより、回転駆動される。なお、駆動伝達機構２７は、給紙アーム２６に軸支されており、給紙アーム２６の延出方向に沿って概ね直線状に並ぶ複数のギヤで構成されている。
【００３１】
画像記録部２４と給紙トレイ７８との間に基軸２８（本発明の回動軸の一例）が設けられている。給紙アーム２６は、その基端部が基軸２８に支持されており、基軸２８を回動中心として回動可能に構成されている。給紙アーム２６は、基軸２８の回動中心からプリンタ筐体１４の背面側へ斜め下方へ延出されており、その先端は、プリンタ筐体１４において給紙トレイ７８が挿入される経路、つまり、給紙トレイ７８の配置スペースに達している。また、給紙アーム２６は、自重により又はバネ等の弾性部材による弾性力により、図２の矢印２９の方向へ回動付勢されている。なお、基軸２８は、後述する後方ガイド板９２を回動自在に支持する回動軸としても兼用されている。
【００３２】
このように給紙アーム２６が構成されているため、給紙アーム２６は、給紙トレイ７８に対して接離可能に上下動することができる。給紙トレイ７８がプリンタ筐体１４に対して挿入されると、その挿入過程において給紙トレイ７８の後端に立設された分離傾斜板２２が給紙アーム２６に当接して給紙アーム２６を後方及び上方へ押圧する。これにより、給紙アーム２６は上方へ押し上げられる。そして、給紙トレイ７８が給紙ローラ２５の下側に配置されると、給紙ローラ２５は下降して、給紙トレイ７８に保持された記録用紙の上面に圧接する。また、給紙トレイ７８がプリンタ筐体１４から抜き出されると、その脱抜過程において分離傾斜板２２の前方側の面が給紙ローラ２５に当接して給紙ローラ２５と共に給紙アーム２６を上方へ押圧する。これにより、給紙アーム２６は上方へ押し上げられる。そして、分離傾斜板２２が給紙アーム２６よりも前方側へ移動すると、給紙ローラ２５は下降する。
【００３３】
なお、プリンタ筐体１４のフレームには、給紙トレイ７８がプリンタ筐体１４から抜き出されても、給紙ローラ２５がプリンタ筐体１４の底面に接触しないように、規制部材７１（図５（Ｄ）参照、本発明の規制手段の一例）が設けられている。この規制部材７１は、給紙トレイ７８の未装着状態において、プリンタ筐体１４の底面から離間した所定位置よりも下方へ給紙ローラ２５が移動しないように、給紙アーム２６に当接して給紙アーム２６が下方へ回動しようとするのを規制している。
【００３４】
［給紙トレイ７８］
図２に示されるように、給紙トレイ７８は、給紙部１５の下方に設けられており、プリンタ筐体１４の底部に配置されている。
【００３５】
図３は、給紙トレイ７８の構成を模式的に示す平面図である。図２及び図３に示されるように、給紙トレイ７８は、記録用紙が載置される底板５４と、底板５４の左右方向９の両端部から上方に立設され、前後方向８に沿って延びる側板５５，５６と、底板５４の後方側の端部に立設され、左右方向９に沿って延びる分離傾斜板２２とを備えている。給紙トレイ７８は、上面が開放された概ね矩形箱状に構成されている。分離傾斜板２２は、記録用紙を円滑に給紙可能なように、後方側へ傾倒している。上述したとおり、記録用紙は、給紙トレイ７８の後方側の端部から、当該端部の後方且つ上方の湾曲路６５Ａへ給送される。
【００３６】
また、給紙トレイ７８の左右方向両端部それぞれには一対の支持部５７（本発明の第１支持部の一例）が設けられている。この支持部５７は、側板５５及び側板５６それぞれと一体に構成されている。一方の支持部５７は、側板５５の上端から給紙トレイ７８の幅方向中央側へ伸びる板部材であり、他方の支持部５７は、側板５６の上端から給紙トレイ７８の幅方向中央側へ伸びる板部材である。これらの２つの支持部５７は、後述する突起１０２（本発明の第１係合部の一例）と共に、本発明の支持機構を構成する。
【００３７】
給紙トレイ７８の底板５４には、前後方向８に沿って延びる一対のサイドガイド７５が設けられている。給紙トレイ７８には、サイドガイド７５を連動させる周知の機構が設けられている。したがって、例えば、一方のサイドガイド７５が左右方向９のいずれか一方（右向き）へスライドされると、他方のサイドガイド７５がこのスライド動作に連動して、逆向き（左向き）へスライドされる。このため、底板５４に載置された記録用紙の幅が一対のサイドガイド７５の離間距離と異なる場合は、サイドガイド７５を記録用紙の両端に向けてスライドさせることで、記録用紙の幅方向（左右方向９）の中央位置が給紙トレイ７８の幅方向の中央に略一致する。このようなサイドガイド７５が設けられているため、給紙トレイ７８の幅サイズよりも小さいサイズの記録用紙（例えばハガキやＬ版写真サイズの光沢紙など）が載置されても、その記録用紙を給紙トレイ７８の中央に位置決めすることができる。なお、サイドガイドは一つであってもよい。この場合、サイドガイドと側板５５，５６のいずれかとの間で記録用紙を位置決めすることができる。
【００３８】
また、底板５４には、前後方向８へスライド可能に支持されたリアガイド７７が設けられている。そのため、給紙トレイ７８に載置された記録用紙の前方側の端部へ向けてリアガイド７７をスライドさせて記録用紙を後方へ押し付けることで、記録用紙を給紙トレイ７８の後方側へ詰め寄せることができる。
【００３９】
［経路切換部４１］
図２に示されるように、経路切換部４１は、用紙搬送路６５における分岐口３６付近に配置されている。経路切換部４１は、第３搬送ローラ４５と、拍車４６と、フラップ４９で構成されている。
【００４０】
第３搬送ローラ４５は、下側排紙ガイド８３よりも下流側に設けられている。第３搬送ローラ４５と下側排紙ガイド８３との間に分岐口３６が形成されている。第３搬送ローラ４５は、プリンタ筐体１４のフレームなどに回転可能に支持されている。拍車４６は、第３搬送ローラ４５の上方に配置されており、自重若しくはバネなどによって第３搬送ローラ４５のローラ面に圧接されている。拍車４６は、上側排紙ガイド８２の下流側端部に回転可能の支持されている。第３搬送ローラ４５は、搬送用モータから正逆回転方向の駆動力が伝達されて、正回転方向又は逆回転方向に回転駆動される。例えば、片面記録が行われる場合は、第３搬送ローラ４５は正回転方向へ回転される。これにより、記録用紙は第３搬送ローラ４５及び拍車４６に挟持されて前方の排紙トレイ７９へ排出される。一方、両面記録が行われる場合は、第３搬送ローラ４５及び拍車４６が記録用紙の後端部を挟持した状態で、第３搬送ローラ４５の回転方向が正回転方向から逆回転方向へ切り換えられる。
【００４１】
プリンタ筐体１４のフレームなどに、図２の紙面垂直方向（左右方向９）へ延びる支軸８７が設けられている。フラップ４９は、支軸８７から概ね下流側へ延出されている。フラップ４９は、支軸８７に回動可能に軸支されている。フラップ４９には、その延出方向に隔てられた拍車４７及び拍車４８が軸支されている。フラップ４９は、姿勢変化可能に構成されており、下側排紙ガイド８３よりも上方に位置する排出姿勢（図２に破線で示される姿勢）と、延出端部４９Ａが分岐口３６よりも下方へ進入する反転姿勢（図２に実線で示される姿勢）との間で回動する。このようなフラップ４９が設けられているため、記録用紙の後端がフラップ４９を通過してプラップ４９が反転姿勢となると、記録用紙の後端が分岐口３６の下方へ向けられる。そして、第３搬送ローラが逆回転すると、記録用紙が反転搬送路６７へ向けてスイッチバック搬送される。
【００４２】
［反転搬送路６７］
プリンタ部１１の内部には、反転搬送路６７が形成されている。反転搬送路６７は、排紙路６５Ｂの分岐口３６から分岐して、画像記録部２４と給紙部１５との間を通って後方へ延出され、湾曲路６５Ａの途中にある合流部３７に合流している。反転搬送路６７は、前方側の傾斜路６７Ａと、後方側の直線路６７Ｂとに区分される。経路切換部４１でスイッチバック搬送された記録用紙が反転搬送路６７を通ることにより、記録用紙が再び湾曲路６５Ａに戻される。この反転搬送路６７は、プリンタ筐体１４に固定された上側固定ガイド板４３と、後述する下側ガイド部材９０（本発明のガイド部材の一例）と、によって形成されている。
【００４３】
［下側ガイド部材９０］
図２に示されるように、下側ガイド部材９０は、画像記録部２４と給紙カセット７８との間に設けられており、更に詳細には、給送部１５の上側に設けられている。下側ガイド部材９０は、基軸２８よりも前方側に配置された前方ガイド板９１と、基軸２８よりも後方側に配置された後方ガイド板９２（本発明の第１ガイド板の一例）とにより構成されている。
【００４４】
図４は、下側ガイド部材９０の構成を示す模式図であって、（Ａ）には下側ガイド部材９０の平面図が示されており、（Ｂ）には（Ａ）における切断線ＩＶＢ−ＩＶＢの断面図が示されている。なお、図４では、後方ガイド板９２が水平にされた状態が示されている。また、図４（Ｂ）では、給紙アーム２６の図示が省略されている。前方ガイド板９１及び後方ガイド板９２は、給紙トレイ７８の幅と概ね同じ幅を有する平板状の部材からなる。
【００４５】
図４に示されるように、前方ガイド板９１は、分岐口３６から後方斜め下向きに傾斜する傾斜面を有する。上側固定ガイド４３の前方側は、記録用紙が通過可能な所定間隔を隔てて前方ガイド板９１に対向するように配置されている。前方ガイド板９１と上側固定ガイド４３の前方側とによって、反転搬送路６７の傾斜路６７Ａが区画されている。
【００４６】
後方ガイド板９２の前方端おける左右方向両端それぞれに軸受け９５が設けられている。この軸受け９５に設けられた軸孔（不図示）に基軸２８が挿通されている。これにより、後方ガイド板９２は、その後方端（背面側の端部）を回動自由端として基軸２８を中心に回動可能となる。つまり、後方ガイド板９２及び給紙アーム２６は、共通の回動軸である基軸２８によって回動自在に支持されている。本実施形態では、後述するように、後方ガイド板９２の下面が給紙ローラ２５から上方へ離間した位置（第１位置、図５（Ａ）参照）と、後方ガイド板９２の下面が給紙ローラ２５のローラ面に当接する位置（第２位置、図５（Ｂ）乃至（Ｃ）参照）とを通るように、後方ガイド板９２が回動可能となっている。なお、本発明は、後方ガイド板９２及び給紙アーム２６を基軸２８で軸支する構成に限られず、基軸２８とは異なる回動軸を設け、この回動軸で後方ガイド板９２を回転自在に支持する構成にも適用可能である。
【００４７】
後方ガイド板９２の下面に２つの突起１０２（本発明の第１係合部の一例）が設けられている。突起１０２は、後方ガイド板９２における左右方向両端部それぞれに設けられている。突起１０２は、後方ガイド板９２の下面から下方へ突出している。突起１０２は、給紙トレイ７８がプリンタ筐体１４に装着された状態で、上述した支持部５７に当接して支持される。これにより、図２に示されるように、基軸２８から合流部３７までに至る直線路６７Ｂが後方ガイド板９２によって形成される。つまり、給紙トレイ７８がプリンタ筐体１４に装着された状態にあるときに、下側ガイド部材９０によって、記録用紙を湾曲路６５Ａへ案内可能な反転搬送路６７が形成される。
【００４８】
後方ガイド板９２の後端には、後方斜め上方へ向けて傾倒する傾斜部９７が形成されている。この傾斜部９７は、合流部３７において湾曲路６５Ａに接続している。このため、直線路６７Ｂから後方へ水平に搬送された記録用紙は、傾斜部９７によってその方向が上向きに変えられる。したがって、直線路６７Ｂから湾曲路６５Ａへ向かう記録用紙が円滑に搬送される。
【００４９】
また、後方ガイド板９２の下面には、クリーニングパッド７０（本発明のクリーニング部材の一例）が設けられている。クリーニングパッド７０は、後方ガイド板９２の下面において、給紙ローラ２５と当接する部分に設けられている。クリーニングパッド７０の具体例としては、フェルト部材、コルク部材、不織布、粘着性を有する樹脂部材などが考えられる。後方ガイド板９２と給紙ローラ２５とが接近して互いに当接することにより、クリーニングパッド７０が給紙ローラ２５のローラ面に接触して、給紙ローラ２５のローラ面の汚れが除去される。
【００５０】
［後方ガイド板９２の動作］
以下、図５を参照しながら、後方ガイド板９２の動作について説明する。図５は、後方ガイド板９２の動作を説明する模式断面図である。図５（Ａ）には給紙トレイ７８の装着状態が示されており、（Ｂ）には支持部５７による支持が無くなり後方ガイド板９２が下降し始めた状態が示されており、（Ｃ）には給紙ローラ２５によって後方ガイド板９２が上方へ押し戻された状態が示されており、（Ｄ）には、給紙トレイ７８が未装着のときの後方ガイド板９２及び給紙ローラ２５の姿勢が示されている。
【００５１】
上述したように、本実施形態では、図５（Ａ）に示されるように、給紙トレイ７８がプリンタ筐体１４に装着された状態にあるときに、後方ガイド板９２によって直線路６７Ｂが形成される。この状態から給紙トレイ７８が抜き出されると、突起１０２が支持部５７によって支持されなくなり、後方ガイド板９２が下方へ回動する（図５（Ｂ）参照）。なお、図５（Ｂ）に示される状態では、分離傾斜板２２によって給紙ローラ２５が上方へ持ち上げられようとしている。このとき、給紙ローラ２５のローラ面が分離傾斜板２２の上端よりも上方へ出ると、ローラ面がクリーニングパッド７０に接触する。これにより、ローラ面における接触部分の汚れがクリーニングパッド７０によって除去される。
【００５２】
そして、給紙トレイ７８が更に抜き出されると、図５（Ｃ）に示されるように、給紙ローラ２５が更に持ち上げられる。これにより、いったん下方へ回動した後方ガイド板９２は、再び持ち上げられるようにして上方へ回動する。
【００５３】
更に給紙トレイ７８が抜き出されて、図５（Ｄ）に示されるように、給紙トレイ７８が後方ガイド板９２から離れると、給紙ローラ２５が移動し、これに追従するように後方ガイド板９２も下方へ回動する。
【００５４】
［実施形態の効果］
このように構成されているため、給紙トレイ７８がプリンタ筐体１４から抜き出されることにより、後方ガイド板９２の支持がなくなり、後方ガイド板９２の下面と給紙ローラ２５とが当接する。このとき、クリーニングパッド７０が給紙ローラ２５のローラ面に接触するため、上記ローラ面における接触部の汚れがクリーニングパッド７０によって除去される。また、基軸２８を中心にして後方ガイド板９２が下方へ回動すると、反転搬送路６７の直線路６７Ｂが高さ方向に拡げられる。このため、反転搬送路６７で記録用紙が詰まった場合でも、背面カバー１８を開ければ、詰まった記録用紙に容易にアクセスすることができるので、記録用紙の除去作業が容易となる。
【００５５】
なお、上述の実施形態では、後方ガイド板９２に突起１０２を設けることとしたが、後方ガイド板９２には突起１０２を設けずに、突起１０２と同様の突起を給紙トレイ７８の側板５５，５６に設けた構成であっても、本発明は適用可能である。
【００５６】
［実施形態の変形例］
なお、図５（Ｄ）に示されるように、規制部材７１によって給紙ローラ２５がプリンタ筐体１４の底面から浮いた状態にあるときは、プリンタ部１１の制御部によって、給紙ローラ２５が回転駆動されることが望ましい。例えば、複合機１０の操作者によってクリーニング指示信号が操作入力された場合は、この信号が入力されたことを条件に、制御部が給紙用モータを駆動させて、給紙ローラ２５を一定時間回転させる。例えば、給紙ローラ２５を少なくとも１周するように回転させることにより、給紙ローラ２５がクリーニングパッド７１に接触した状態で空回りするため、給紙ローラ２５の全域の汚れが除去される。
【符号の説明】
【００５７】
１０・・・複合機
１１・・・プリンタ部
１４・・・プリンタ筐体
１５・・・給送部
１８・・・背面カバー
２４・・・画像記録部
２５・・・給紙ローラ
２６・・・給紙アーム
２８・・・基軸
６５・・・用紙搬送路
６５Ａ・・・湾曲路
６７・・・反転搬送路
７０・・・クリーニングパッド
９０・・・下側ガイド部材
９１・・・前方ガイド板
９２・・・後方ガイド板
１０２・・・突起
【図１】
2011136830.tif 000003
【図２】
2011136830.tif 000004
【図３】
2011136830.tif 000005
【図４】
2011136830.tif 000006
【図５】
2011136830.tif 000007